(57)【要約】【課題】費用や時間を要することなく、太陽光パネルの安定した設置状態を維持することができる太陽光パネル支持構造を提供する。【解決手段】鉄道用レール（３）の幅方向に前記鉄道用レールを挟んで配置された一対の支柱（１１ａ、１１ｂ）を有する支持部材（１）と、前記一対の支柱の上端部に架け渡されて固定される押え部材（２）と、を備える。前記一対の支柱は前記鉄道用レールの下部に係合して起立し、前記押え部材は、前記鉄道用レールの一対の上に架け渡して載置される太陽光パネル（４）と係合する。【選択図】図１
2016136804.tif 000002
【特許請求の範囲】
【請求項１】
鉄道用レールの幅方向に前記鉄道用レールを挟んで配置された一対の支柱を有する支持部材と、
前記一対の支柱の上端部に架け渡されて固定される押え部材と、を備え、
前記一対の支柱は前記鉄道用レールの下部に係合して起立し、
前記押え部材は、前記鉄道用レールの一対の上に架け渡して載置される太陽光パネルと係合する
ことを特徴とする太陽光パネル支持構造。
【請求項２】
前記一対の支柱の各々の下端部が、前記一対の支柱に対し着脱自在で前記鉄道用レールの下面と地面の間に挿入される接地部を介して連結され、前記一対の支柱は前記接地部を介して前記鉄道用レールに係合している請求項１に記載の太陽光パネル支持構造。
【請求項３】
前記押え部材は、前記鉄道用レールの頂面の上に配置され前記一対の支柱の各々が挿通される挿通孔が設けられた水平部と、前記水平部の前記太陽光パネル側に配置される縁辺から前記太陽光パネルの高さ方向に起立する起立部と、前記起立部の上端から前記水平部と平行して前記水平部から離れる方向に突出した第二水平部とを有し、前記起立部と前記第二水平部を介して前記太陽光パネルの縁辺に係合する請求項１又は２に記載の太陽光パネル支持構造。
【発明の詳細な説明】
【技術分野】
【０００１】
本発明は、太陽光パネルを支持する構造に関するものである。
【背景技術】
【０００２】
近年、企業等の収益を上げるための一つの方法として、スペースの有効利用が考えられている。より具体的には、無駄と思われていたスペースを活用して、新たなビジネスを行うことが考えられる。そして、そのような方法として、近年、遊休地に太陽光パネルを設置して行う発電ビジネスが各地で行われている。
【０００３】
太陽光発電は、近年、石油火力発電や原子力発電に代わるものとして注目されているが、実用に十分な電力を得るためには、太陽光パネルの設置面積を大きくする必要がある。そのため、事業として太陽光発電を行う場合には、郊外の遊休地に大量の太陽光パネルが設置される。
【０００４】
事業用に太陽光パネルが設置される主な遊休地としては、未使用の工場建設用地などが考えられるが、近年では、その他にも様々な設置場所が検討されている。例えば、太陽光パネルの新たな設置場所として、特許文献１（特開２０１２−２５１４１２号公報）には、鉄道用レールの間が提案されている。
【先行技術文献】
【特許文献】
【０００５】
【特許文献１】特開２０１２−２５１４１２号公報
【発明の開示】
【発明が解決しようとする課題】
【０００６】
しかしながら、太陽光パネルの設置には、設置場所の問題に加え、架台の問題がある。すなわち、屋外に設置される太陽光パネルが、強風で壊れることなく安定した設置状態を維持するための架台が必要となり、設置場所を低コストで確保できたとしても、架台の設置に費用や時間を要するという問題がある。
【０００７】
そこで、本発明は、費用や時間を要することなく、太陽光パネルの安定した設置状態を維持することができる太陽光パネル支持構造を提供することを目的とする。
【課題を解決するための手段】
【０００８】
本発明に係る太陽光パネル支持構造は、鉄道用レールの幅方向に前記鉄道用レールを挟んで配置された一対の支柱を有する支持部材と、前記一対の支柱の上端部に架け渡されて固定される押え部材と、を備える。前記一対の支柱は前記鉄道用レールの下部に係合して起立し、前記押え部材は、前記鉄道用レールの一対の上に架け渡して載置される太陽光パネルと係合する。
【０００９】
前記一対の支柱の各々の下端部が、前記一対の支柱に対し着脱自在で前記鉄道用レールの下面と地面の間に挿入される接地部を介して連結され、前記一対の支柱は前記接地部を介して前記鉄道用レールに係合していてもよい。
【００１０】
前記押え部材は、前記鉄道用レールの頂面の上に配置され前記一対の支柱の各々が挿通される挿通孔が設けられた水平部と、前記水平部の前記太陽光パネル側に配置される縁辺から前記太陽光パネルの高さ方向に起立する起立部と、前記起立部の上端から前記水平部と平行して前記水平部から離れる方向に突出した第二水平部とを有するものであってもよい。そして、前記起立部と前記第二水平部を介して前記太陽光パネルの縁辺に係合するものであってもよい。
【発明の効果】
【００１１】
本発明に係る太陽光パネル支持構造によれば、一対の鉄道用レールの上に太陽光パネルを載置して太陽光パネルを固定できるので、太陽光パネル用の架台を別途設ける必要がない。そのため、費用や時間を要することなく、太陽光発電パネルの安定した設置状態を維持することができる。
【００１２】
また、一対の支柱の各々の下端部を、一対の支柱に対し着脱自在で鉄道用レールの下面と地面の間に挿入される接地部を介して連結することとすれば、接地部を先に鉄道用レールの下に配置した後、一対の支柱を接地部に取り付け、鉄道用レールを挟んだ状態で設置することができる。そのため、太陽光パネルの設置の作業効率の面から有効である。すなわち、鉄道用レールの下は空間が狭いので、支柱から離脱した状態の接地部は、鉄道用レールの下に容易に挿入させることができ、作業効率の向上を図ることができる。
【００１３】
更に、押え部材を、鉄道用レールの頂面の上に配置され一対の支柱の各々が挿通される挿通孔が設けられた水平部と、水平部の太陽光パネル側に配置される縁辺から太陽光パネルの高さ方向に起立する起立部と、起立部の上端から水平部と平行して水平部から離れる方向に突出した第二水平部とを有するものとすれば、簡単な構造で、太陽光発電パネルを鉄道用レールに固定することができる。
【００１４】
太陽光パネルが載置される鉄道用レールとして、使用されていないものを利用する必要があるが、将来、使用されるものであってもよい。すなわち、廃線に限られず、未使用の路線や休止されている路線の鉄道用レールであってもよい。鉄道用レールの使用が必要になった場合は、太陽光パネルを鉄道用レールの上から撤去すればよく、しかも、支柱と鉄道用レールの係合を解除し、押え部材と太陽光パネルの係合を解除する簡単な作業で、容易に撤去することができる。
【図面の簡単な説明】
【００１５】
【図１】本実施形態に係る太陽光パネル支持構造の斜視図である。
【図２】本実施形態に係る太陽光パネル支持構造によって太陽光発電パネルを支持した状態を示す斜視図である。
【図３】接地部を示し、（ａ）は平面図、（ｂ）は正面図、（ｃ）は側面図である。
【図４】押さえ部材を示し、（ａ）は平面図、（ｂ）は側面図である。
【発明を実施するための形態】
【００１６】
図１、２を参照しながら、本発明の実施形態の一つについて説明する。図１は、本実施形態に係る太陽光パネル支持構造の斜視図である。図２は、本実施形態に係る太陽光パネル支持構造によって太陽光発電パネルを支持した状態を示す斜視図である。
【００１７】
本実施形態に係る太陽光パネル支持構造は、支持部材１と押さえ部材２を備える。支持部材１は、鉄道用レール３の幅方向に、鉄道用レール３を挟んで配置された一対の支柱１１ａ、１１ｂと、支柱１１ａ、１１ｂの双方の下端部を連結する接地部１２を有する。
【００１８】
接地部１２は、略矩形の金属板で形成され、図示しない枕木の間で鉄道用レール３の下に挿入され配置される。長手方向の寸法は、鉄道用レール３の幅よりも大きくされており、鉄道用レール３の下側に配置された状態において、両短辺側が鉄道用レール３の幅方向の両側から突出するものとなっている。
【００１９】
また、接地部１２の両短辺側に、縁辺の中央位置から長手方向に延びる切込み１３が設けられ、鉄道用レール３の下側に配置された状態において、切込み１３が露出するものとされている。
【００２０】
支柱１１ａ、１１ｂは、金属の棒で形成され、上端部と下端部に羅条が刻設されている。下端部は、接地部１２の切込み１３に挿通され、上端部は、押え部材２の水平部２１に設けられた挿通孔２３に挿通されている。更に、下端部は、接地部１２の下側に配置された下側ナット１４と螺合し、上端部は、押え部材２の水平部２１の上側に配置された上側ナット２４と螺合している。そして、これらナット１４、２４の間隔を調整することにより、押え部材２の水平部２１と接地部１３とで鉄道用レール３を高さ方向に挟持することができる。すなわち、支柱１１ａ、１１ｂの下端部を、接地部１２を介して鉄道用レール３に係合させ、起立させることができる。
【００２１】
押え部材２は、鉄道用レール３の頂面３１の上に配置される矩形の水平部２１を有する。水平部２１には、支柱１１ａ、１１ｂの各々が挿通される挿通孔２３が設けられ、既述のように、支柱１１ａ、１１ｂの上端部が挿通孔２３に挿通されている。そして、支持部材１の接地部１２と協働して鉄道用レール３を高さ方向に挟持した状態で、支柱１１ａ、１１ｂの上端部に架け渡されて固定されるものとなっている。
【００２２】
また、押え部材２が鉄道用レール３に固定された状態において水平部２１の太陽光パネル４側に配置される縁辺には、その縁辺から太陽光パネル４の高さ方向に起立する起立部２２が設けられている。更に、起立部２２の上端には、その上端から水平部２１と平行して水平部２１から離れる方向に突出した第二水平部２５が設けられている。
【００２３】
押え部材２が鉄道用レール３に固定された状態において、起立部２２は太陽光パネル４の側面に当接し、第二水平部２５は太陽光パネル４の上面に当接し、押え部材２が太陽光パネル４の縁辺に係合するものとなっている。
【００２４】
なお、押え部材２は、金属製の矩形板を折り曲げ成形したもので、水平部２１、起立部２２、第二水平部２５は一体となっている。
【００２５】
次に、本実施形態の太陽光パネル支持構造を設置する方法について説明する。
まず、太陽光パネル４を、一対の鉄道用レール３の上に架け渡して載置する。この際、太陽光パネル４の、鉄道用レール３の進行方向に直交する両縁辺（以下、係合縁辺という）は、枕木の上にならない位置に配置する。
【００２６】
続いて、太陽光パネル４の係合縁辺近傍位置において、支持部材１の接地部１２を、支柱１１ａ、１１ｂから外された状態で鉄道用レール３の下に挿入する。そして、接地部１２の両短辺側が鉄道用レール３の幅方向の両側から突出し、切込み１３が露出した状態とする。
【００２７】
続いて、下側ナット１４が取り付けられている支柱１１ａ、１１ｂの下端部の各々を、切込み１３に嵌め込む。この際、切込み１３は鉄道用レール３の幅方向の外側に開口しているため、支柱１１ａ、１１ｂの下端部は、鉄道用レール３の幅方向の外側から容易に嵌め込むことができる。
【００２８】
続いて、支柱１１ａ、１１ｂの上端部を、押え部材２の挿通孔２３に通す。この際、押え部材２の起立部２２が太陽光パネル４の側面に当接し、第二水平部２５が太陽光パネル４の上面に当接する状態とする。その状態とならない場合は、接地部１２の位置を調整する。
【００２９】
設置部１２の位置が決まり、押え部材２の起立部２２と第二水平部２５が太陽光パネル４に当接した状態となったら、支柱１１ａ、１１ｂの上端部に上側ナット２４を取付け、締め付ける。そして、支持部材１の接地部１２と押え部材２の水平部２１で鉄道用レール３を高さ方向に挟持し、押え部材２が、起立部２２と第二水平部２５を介して、太陽光パネル４に係合した状態とする。
【００３０】
上側ナット２４の締め付け操作において、下側ナット１４が回動する場合には、図３に示すように、切込み１３の開口に、下側ナット１４の回動を規制する規制部１５を設けておいてもよい。この場合、図３（ａ）において想像線で示すように、下側ナット１４が規制部１５に係合し、回動が抑えられ、上側ナット２４の締め付け作業を容易に行うことができる。なお、構造の説明の便宜上、図１及び図２において、規制部１５の図示は省略されている。
【００３１】
上記作業は、太陽光パネル４の４隅に対して行う。そして、図２に示すように、太陽光パネル４の４隅を、上記太陽光パネル支持構造により固定することで、鉄道用レール３を太陽光パネル４の架台として利用することができる。
【００３２】
なお、図２においては、太陽光パネル４の一枚のみが設置されているが、太陽光パネル４の設置数に制限はない。例えば、太陽光パネル４の複数を、鉄道用レール３の進行方向に沿って所定の間隔で並べ、各太陽光パネル４の四隅に上記太陽光パネル支持構造を採用しもよい。或いは、太陽光パネル４の複数を、鉄道用レール３の進行方向に沿って間隔を空けずに並べて、両端に設置された太陽光パネル４の、他の太陽光パネル４に接していない側の縁辺の両端側に上記太陽光パネル支持構造を採用してもよい。
【００３３】
また、この実施形態では、支柱１１ａ、１１ｂを鉄道用レール３の下部に係合させて起立させる構成として、支柱１１ａ、１１ｂの下端部を接地部２で連結することとしているが、その構成に制限はなく、使用状況に適したその他の構成を採用してもよい。
【００３４】
例えば、支柱１１ａ、１１ｂの各々の下端を折り曲げ、その折り曲げ部を鉄道用レール３の下側に挿入し、鉄道用レール３に係合させることとしてもよい。この場合、接地部１２を介して係合する場合に比べて、支持部材１の部品点数を減らすことができる利点がある。
【００３５】
また、Ｕ字型に折り曲げた一本の棒材で支持部材１を形成し、Ｕ字型に折り曲げられた両端の起立部位を支柱１１ａ、１１ｂとすれば、起立部位を連結する底部を鉄道用レール３の下に配置し、鉄道用レールに係合させることができる。この場合、支持部材１の部品点数を更に減らすことができる。
【符号の説明】
【００３６】
１    支持部材
２    押え部材
３    鉄道用レール
４    太陽光パネル
１１ａ、１１ｂ  支柱
１２  接地部
１３  切込み
１４  下側ナット
１５  規制部
２１  水平部
２２  起立部
２３  挿通孔
２４  上側ナット
２５  第二水平部
３１  頂面
【図１】
2016136804.tif 000003
【図２】
2016136804.tif 000004
【図３】
2016136804.tif 000005
【図４】
2016136804.tif 000006